(57)【要約】【課題】波長に対して損失が略線型であって当該損失傾斜が可変である損失傾斜等化器を提供する。【解決手段】損失傾斜等化器１００の入力端１０１に入力した光は、可変フィルタ１１０および固定フィルタ１２０それぞれを通過する際に波長に応じた損失を被って、出力端１０２より出力される。可変フィルタ１１０の透過スペクトルが可変範囲内の何れかの状態にあるときには、可変フィルタ１１０および固定フィルタ１２０それぞれの損失スペクトルが互いに逆特性を有するものとなっていることにより、損失傾斜等化器１００の全体の損失スペクトルは略平坦である。ペルチエ素子１３０による温度調整により可変フィルタ１１０に含まれるファイバグレーティングの透過スペクトルが変化することにより、損失傾斜等化器１００の全体の損失スペクトルは、波長に対して損失が略線型であるままで、当該損失傾斜が変化する。【選択図】　図１
2004145127.tif 000002
【特許請求の範囲】
【請求項１】
入力した所定波長帯域内の光に対して損失を与えて出力する損失傾斜が可変の損失傾斜等化器であって、
第１端と第２端との間に１以上接続されているファイバグレーティングを有し、前記第１端と前記第２端との間の光の透過率が波長に依存し、その透過スペクトルが波長軸上でシフト可能である可変フィルタと、
前記所定波長帯域内の光に対して所定の損失スペクトルを有する固定フィルタと
を備え、
前記可変フィルタの透過スペクトルが当該可変範囲内の何れかの状態にあるときに、前記所定波長帯域において前記可変フィルタおよび前記固定フィルタそれぞれのスペクトルが互いに逆特性である
ことを特徴とする損失傾斜等化器。
【請求項２】
前記可変フィルタが、長周期ファイバグレーティング、スラント型ファイバグレーティングおよびチャープ型ファイバグレーティングのうちの何れかのファイバグレーティングが１または２以上直列接続されてなることを特徴とする請求項１記載の損失傾斜等化器。
【請求項３】
前記固定フィルタが、長周期ファイバグレーティング、スラント型ファイバグレーティングおよびチャープ型ファイバグレーティングのうちの何れかのファイバグレーティングが１または２以上直列接続されてなることを特徴とする請求項１記載の損失傾斜等化器。
【請求項４】
所定波長帯域内の信号光を光増幅する光増幅部と、
前記光増幅部と接続され、前記信号光に対して損失を付与する請求項１記載の損失傾斜等化器と、
前記損失傾斜等化器の透過スペクトルを調整して、前記光増幅部および前記損失傾斜等化器を含む全体の利得を前記所定波長帯域内で一定となるように制御する制御部と
を備えることを特徴とする光増幅装置。
【請求項５】
請求項４記載の光増幅装置を含み、この光増幅装置により信号光を光増幅して伝送することを特徴とする光通信システム。
【請求項６】
信号光伝送経路上に設けられ所定波長帯域内の信号光を光増幅する複数の光増幅装置と、
前記複数の光増幅装置と接続され、前記信号光に対して損失を付与する請求項１記載の損失傾斜等化器と、
前記損失傾斜等化器の透過スペクトルを調整して、前記複数の光増幅装置および前記損失傾斜等化器を含む全体の利得を前記所定波長帯域内で一定となるように制御する制御部と
を備えることを特徴とする光通信システム。
【発明の詳細な説明】
【０００１】
【発明の属する技術分野】
本発明は、入力端に入力した所定波長帯域内の光に対して損失を与えて該光を出力端より出力する損失傾斜が可変の損失傾斜等化器、この損失傾斜等化器を含む光増幅装置、および、この損失傾斜等化器または光増幅装置を含む光通信システムに関するものである。
【０００２】
【従来の技術】
光通信システムは、信号光を光ファイバ伝送路により伝送することで大容量の情報を高速に送受信することができる。特に、波長分割多重（ＷＤＭ：　Ｗａｖｅｌｅｎｇｔｈ　Ｄｉｖｉｓｉｏｎ　Ｍｕｌｔｉｐｌｅｘｉｎｇ）光通信システムは、信号光波長帯域に含まれる多波長の信号光を多重化して伝送するものであって、更なる大容量化を図ることができる。また、光通信システムでは、光ファイバ伝送路により伝送される間に信号光が損失を被ることから、損失を補償するために信号光を光増幅する光増幅装置が設けられる。
【０００３】
光増幅装置としては、Ｅｒ元素が添加された増幅用光ファイバ（ＥＤＦ：　Ｅｒｂｉｕｍ　Ｄｏｐｅｄ　Ｆｉｂｅｒ）を光増幅媒体として用いる光ファイバ増幅器（ＥＤＦＡ：　Ｅｒｂｉｕｍ　Ｄｏｐｅｄ　Ｆｉｂｅｒ　Ａｍｐｌｉｆｉｅｒ）が知られている。このＥＤＦＡは、ＥＤＦに励起光（波長０．９８μｍ帯または１．４８μｍ帯）を供給することで、ＥＤＦにおいて波長１．５５μｍ帯の多波長の信号光を一括して光増幅することができる。
【０００４】
また、光増幅装置は、光増幅媒体における利得スペクトルが信号光波長帯域で平坦でない場合があることから、利得スペクトルを等化する利得等化器を更に備えている（例えば非特許文献１および非特許文献２を参照）。すなわち、利得等化器の損失スペクトルは光増幅媒体の利得スペクトルと同様の形状のものとされており、光増幅装置の全体の利得スペクトルが信号光波長帯域で平坦化される。
【０００５】
【非特許文献１】
Ｈ．　Ｎａｋａｊｉ，　ｅｔ　ａｌ．，　”Ｕｌｔｒａ−Ｗｉｄｅ　Ｄｙｎａｍｉｃ　Ｒａｎｇｅ　Ｅｒｂｉｕｍ　Ｄｏｐｅｄ　Ｆｉｂｅｒ　Ａｍｐｌｉｆｉｅｒｓ　Ｅｍｐｌｏｙｉｎｇ　Ｖａｒｉａｂｌｅ　Ａｔｔｅｎｕａｔｉｏｎ　Ｓｌｏｐｅ　Ｃｏｍｐｅｎｓａｔｏｒ”，　ＯＡＡ２０００，　ＯＷＡ２　（２０００）
【非特許文献１】
Ｈ．　Ｊ．　Ｐａｔｒｉｃｋ，　ｅｔ　ａｌ．，　”Ａｎａｌｙｓｉｓ　ｏｆ　ｔｈｅ　Ｒｅｓｏｎａｎｃｅ　ｏｆ　Ｌｏｎｇ　Ｐｅｒｉｏｄ　ＦｉｂｅｒＧｒａｔｉｎｇｓ　ｔｏ　Ｅｘｔｅｒｎａｌ　Ｉｎｄｅｘ　ｏｆ　Ｒｅｆｒａｃｔｉｏｎ”，　Ｊｏｕｒｎａｌ　ｏｆ　Ｌｉｇｈｔｗａｖｅ　Ｔｅｃｈｎｏｌｏｇｙ，　Ｖｏｌ．１６，　Ｎｏ．９，　ｐｐ．１６０６−１６１２　（１９９８）
【０００６】
【発明が解決しようとする課題】
ところで、上記のＥＤＦの利得スペクトルは種々の要因（例えば、入力信号光強度、入力信号光波数、温度、など）により変動することが知られている。例えば、ＥＤＦは、波長１５４０ｎｍ以上の波長域では、波長に対して利得が略線型であって、その利得傾斜が入力信号光強度に依存して変化する。そこで、このように利得傾斜が変化する光増幅媒体の利得を常に等化し得る利得等化器として、波長に対して損失が略線型であって当該損失傾斜が可変である損失傾斜等化器が必要となる。
【０００７】
本発明は、上記問題点を解消する為になされたものであり、波長に対して損失が略線型であって当該損失傾斜が可変である損失傾斜等化器、この損失傾斜等化器を含む光増幅装置、および、この損失傾斜等化器または光増幅装置を含む光通信システムを提供することを目的とする。
【０００８】
【課題を解決するための手段】
本発明に係る損失傾斜等化器は、入力した所定波長帯域内の光に対して損失を与えて出力する損失傾斜が可変の損失傾斜等化器であって、（１）　第１端と第２端との間に１以上接続されているファイバグレーティングを有し、第１端と第２端との間の光の透過率が波長に依存し、その透過スペクトルが波長軸上でシフト可能である可変フィルタと、（２）　所定波長帯域内の光に対して所定の損失スペクトルを有する固定フィルタとを備えることを特徴とする。更に、可変フィルタの透過スペクトルが当該可変範囲内の何れかの状態にあるときに、所定波長帯域において可変フィルタおよび固定フィルタそれぞれのスペクトルが互いに逆特性であることを備えることを特徴とする。
【０００９】
この損失傾斜等化器の全体の損失スペクトルは、可変フィルタおよび固定フィルタそれぞれの損失スペクトルを総合したものであり、可変フィルタの透過スペクトルが可変範囲内の何れかの状態にあるときに、所定波長帯域において略平坦なものとなっている。そして、可変フィルタに含まれるファイバグレーティングの透過スペクトルが例えば温度や張力により調整されることにより、損失傾斜等化器の全体の損失スペクトルは、波長に対して損失が略線型である状態を維持したまま、その損失傾斜が変化する。
【００１０】
本発明に係る損失傾斜等化器では、可変フィルタは、長周期ファイバグレーティング、スラント型ファイバグレーティングおよびチャープ型ファイバグレーティングのうちの何れかのファイバグレーティングが１または２以上直列接続されてなるのが好適である。また、固定フィルタは、長周期ファイバグレーティング、スラント型ファイバグレーティングおよびチャープ型ファイバグレーティングのうちの何れかのファイバグレーティングが１または２以上直列接続されてなるのが好適である。
【００１１】
本発明に係る光増幅装置は、（１）　所定波長帯域内の信号光を光増幅する光増幅部と、（２）　光増幅部と接続され、信号光に対して損失を付与する上記の本発明に係る損失傾斜等化器と、（３）　損失傾斜等化器の透過スペクトルを調整して、光増幅部および損失傾斜等化器を含む全体の利得を所定波長帯域内で一定となるように制御する制御部とを備えることを特徴とする。また、利得等化器を更に備えるのも好適である。
【００１２】
本発明に係る光増幅装置では、信号光は、光増幅部により光増幅され、損失傾斜等化器により損失を被る。この光増幅装置の全体の利得スペクトルは、光増幅部の利得スペクトルと損失傾斜等化器の損失スペクトルとを総合したものである。損失傾斜等化器に含まれる可変フィルタの透過スペクトルを調整することで、光増幅装置の全体の利得スペクトルを所定波長帯域において平坦とすることができる。
【００１３】
本発明に係る光通信システムは、上記の本発明に係る光増幅装置を含み、この光増幅装置により信号光を光増幅して伝送することを特徴とする。この光通信システムでは、上記の本発明に係る光増幅装置により信号光が光増幅されて伝送されるので、高品質の信号光伝送が可能である。
【００１４】
本発明に係る光通信システムは、（１）　信号光伝送経路上に設けられ所定波長帯域内の信号光を光増幅する複数の光増幅装置と、（２）　複数の光増幅装置と接続され、信号光に対して損失を付与する上記の本発明に係る損失傾斜等化器と、（３）　損失傾斜等化器の透過スペクトルを調整して、複数の光増幅装置および損失傾斜等化器を含む全体の利得を所定波長帯域内で一定となるように制御する制御部とを備えることを特徴とする。この光通信システムでは、複数の光増幅装置それぞれにより信号光が光増幅されるとともに、上記の本発明に係る損失傾斜等化器により波長に応じた損失が信号光に与えられて、全体の利得が所定波長帯域内で一定とされるので、高品質の信号光伝送が可能である。
【００１５】
【発明の実施の形態】
以下、添付図面を参照して本発明の実施の形態を詳細に説明する。なお、図面の説明において同一の要素には同一の符号を付し、重複する説明を省略する。
【００１６】
先ず、本発明に係る損失傾斜等化器の実施形態について説明する。図１は、本実施形態に係る損失傾斜等化器１００の構成図である。この図に示される損失傾斜等化器１００は、入力端１０１に入力した所定波長帯域内の光に対して損失を与えて該光を出力端１０２より出力する損失傾斜が可変のものである。損失傾斜等化器１００は、入力端１０１と出力端１０２との間に可変フィルタ１１０と固定フィルタ１２０とが直列に接続されて構成される。また、損失傾斜等化器１００は、可変フィルタ１１０の温度を調整するペルチエ素子１３０をも備える。
【００１７】
可変フィルタ１１０は、第１端１１０ａと第２端１１０ｂとの間の光の透過率が波長に依存する。そして、その透過スペクトルは、波長軸上でシフト可能であって、ペルチエ素子１３０による温度調整により制御され得る。固定フィルタ１２０は、所定波長帯域内の光を入力し損失を与えて該光を出力するものであり、所定波長帯域における損失スペクトルが固定のものである。そして、可変フィルタ１１０の透過スペクトルが当該可変範囲内の何れかの状態にあるときに、所定波長帯域において可変フィルタ１１０および固定フィルタ１２０それぞれの損失スペクトルが互いに逆特性を有するものとなっている。
【００１８】
この損失傾斜等化器１００では、入力端１０１に入力した所定波長帯域内の光は、可変フィルタ１１０の第１端１１０ａから第２端１１０ｂへ通過する際に波長に応じた損失を被り、さらに、固定フィルタ１２０を通過する際にも波長に応じた損失を被って、出力端１０２より出力される。この損失傾斜等化器１００において、入力端１０１から出力端１０２へ通過する光に対する損失スペクトルは、可変フィルタ１１０および固定フィルタ１２０それぞれの損失スペクトルを総合したものである。
【００１９】
そして、可変フィルタ１１０の透過スペクトルが当該可変範囲内の何れかの状態にあるときには、所定波長帯域において、可変フィルタ１１０および固定フィルタ１２０それぞれの損失スペクトルが互いに逆特性を有するものとなっていることにより、損失傾斜等化器１００の全体の損失スペクトルは略平坦である。また、ペルチエ素子１３０による温度調整により可変フィルタ１１０の透過スペクトルが波長軸上でシフトすることにより、損失傾斜等化器１００の全体の損失スペクトルは、波長に対して損失が略線型であるままで、当該損失傾斜が変化する。
【００２０】
図２は、他の実施形態に係る損失傾斜等化器１００Ａの構成図である。この図に示される損失傾斜等化器１００Ａは、図１に示された損失傾斜等化器１００の構成に加えて、光カプラ１４０、モニタ部１５０および制御部１６０を更に備える。
【００２１】
光カプラ１４０は、固定フィルタ１２０と出力端１０２との間に設けられ、固定フィルタ１２０から出力端１０２へ向かう光の一部を分岐して、その分岐した光をモニタ部１５０へ出力する。モニタ部１５０は、光カプラ１４０から到達した光を入力し、その光のスペクトルを検出する。そして、制御部１６０は、モニタ部１５０により検出された光のスペクトルに基づいて、ペルチエ素子１３０による可変フィルタ１１０の温度調整を制御して、これにより、損失傾斜等化器１００Ａの全体の損失傾斜を調整し、損失傾斜等化器１００Ａの出力端１０２より出力される光のスペクトルを略平坦に維持する。
【００２２】
図３は、本実施形態に係る損失傾斜等化器１００に含まれる可変フィルタ１１０の構成を詳細に示す図である。この図に示されるように可変フィルタ１１０は、第１端１１０ａと第２端１１０ｂとの間に直列接続された２つのファイバグレーティング１１１，１１２を有する。ファイバグレーティング１１１，１１２それぞれは、ペルチエ素子１３０による温度調整により透過スペクトルが調整され得る。ファイバグレーティング１１１，１１２それぞれは、長周期ファイバグレーティング、スラント型ファイバグレーティングおよびチャープ型ファイバグレーティングのうちの何れかであるのが好適である。また、同様に、固定フィルタ１２０も、長周期ファイバグレーティング、スラント型ファイバグレーティングおよびチャープ型ファイバグレーティングのうちの何れかのファイバグレーティングが１または２以上直列接続されてなるのが好適である。
【００２３】
図４は、可変フィルタ１１０に含まれる２つのファイバグレーティング１１１，１１２それぞれの透過スペクトルを示す図である。ここでは、ファイバグレーティング１１１，１１２それぞれは長周期ファイバグレーティングであるとした。ファイバグレーティング１１１の透過スペクトルＴ１１と、ファイバグレーティング１１２の透過スペクトルＴ１２とは、透過帯域幅が互いに等しく、ピーク損失も互いに等しいが、損失がピークとなる波長が相違している。透過スペクトルＴ１１，Ｔ１２それぞれの温度特性は、互いに等しいのが好ましく、例えば温度波長シフトが−１５ｎｍ／１００℃程度である。
【００２４】
図５は、可変フィルタ１１０および固定フィルタ１２０それぞれの透過スペクトルを示す図である。ここでは、可変フィルタ１１０の透過スペクトルＴ１は、ペルチエ素子１３０によりファイバグレーティング１１１，１１２が温度３０℃とされたときのものが示されている。また、固定フィルタ１２０はスラント型ファイバグレーティングであるとして、固定フィルタ１２０の透過スペクトルＴ２は、温度３０℃のときの可変フィルタ１１０の透過スペクトルＴ１に対して逆特性を有するものとした。
【００２５】
図６は、本実施形態に係る損失傾斜等化器１００の透過スペクトルを示す図である。損失傾斜等化器１００の透過スペクトルは、可変フィルタ１１０の透過スペクトルと、固定フィルタ１２０の透過スペクトルとを総合したものである。ここでは、可変フィルタ１１０に含まれるファイバグレーティング１１１，１１２の温度は、ペルチエ素子１３０による温度調整により、−２０°〜＋８０℃の範囲で２５℃刻みの各値とされた。
【００２６】
この図から判るように、ファイバグレーティング１１１，１１２の温度が３０℃であるときには、損失傾斜等化器１００の透過率は、所定波長帯域において波長によらず一定値である。ファイバグレーティング１１１，１１２の温度が３０℃より高くなるに従い、損失傾斜等化器１００の透過スペクトルは、所定波長帯域において、波長に対して損失が略線型であって、当該損失傾斜が負の方向に大きくなってきく。一方、ファイバグレーティング１１１，１１２の温度が３０℃より低くなるに従い、損失傾斜等化器１００の透過スペクトルは、所定波長帯域において、波長に対して損失が略線型であって、当該損失傾斜が正の方向に大きくなってきく。
【００２７】
このように、損失傾斜等化器１００の透過スペクトルは、所定波長帯域において、波長に対して損失が略線型であって当該損失傾斜が可変であり、その損失傾斜が温度調整により制御可能である。したがって、この損失傾斜等化器１００は、ＥＤＦの利得傾斜の変動を補償する利得等化器として好適に用いられ得る。図２に示された損失傾斜等化器１００Ａも同様である。
【００２８】
次に、本発明に係る光増幅装置の実施形態について説明する。図７は、本実施形態に係る光増幅装置１０の構成図である。この図に示される光増幅装置１０は、入力端１１から出力端１２へ至る信号光伝送経路上に、光カプラ２１、光増幅部としてのＥＤＦ２２、利得等化器２３および損失傾斜等化器１００を順に備えており、また、光カプラ２１に接続された励起光源２４をも備えている。
【００２９】
光カプラ２１は、入力端１１に入力した信号光と励起光源２４より出力された励起光とを入力し、これらを合波してＥＤＦ２２へ出力する。ＥＤＦ２２は、Ｅｒ元素が添加された光ファイバであり、励起光が供給されることにより信号光を光増幅することができる。利得等化器２３は、ＥＤＦ２２の利得を等化して、利得傾斜を略線型のものとする。また、損失傾斜等化器１００は、上述した本実施形態に係るものであり、利得等化器２３により略線型とされた利得傾斜を平坦化する。
【００３０】
この光増幅装置１０では、励起光源２４より出力された励起光は、光カプラ２１を経てＥＤＦ２２に供給される。入力端１１に入力した信号光は、光カプラ２１を経てＥＤＦ２２に入力して、このＥＤＦ２２において光増幅される。光増幅された信号光は、利得等化器２３および損失傾斜等化器１００それぞれにより波長に応じた損失が与えられて、出力端１２より出力される。
【００３１】
この光増幅装置１０の全体の利得スペクトルは、ＥＤＦ２２の利得スペクトルと利得等化器２３の損失スペクトルと損失傾斜等化器１００の損失スペクトルとを総合したものとなる。或る条件下では、利得等化器２３の損失スペクトルと損失傾斜等化器１００の損失スペクトルとは、ＥＤＦ２２の利得スペクトルを等化するように設定されており、光増幅装置１０の全体の利得スペクトルは、所定波長帯域において平坦とされている。
【００３２】
しかし、入力信号光強度が変動すると、ＥＤＦ２２の利得スペクトルと利得等化器２３の損失スペクトルとを総合した利得スペクトルは、略線型性を維持しつつも利得傾斜を生じる。このとき、損失傾斜等化器１００に含まれる可変フィルタ１１０の透過スペクトルを調整することで（具体的にはファイバグレーティング１１１，１１２の温度をペルチエ素子１３０により調整することで）、損失傾斜等化器１００の損失傾斜を調整して、これにより、光増幅装置１０の全体の利得スペクトルを所定波長帯域において平坦とすることができる。
【００３３】
次に、本発明に係る光通信システムの実施形態について説明する。図８は、本実施形態に係る光通信システム１の構成図である。この図に示される光通信システム１は、信号光伝送経路上に設けられたＮ段（Ｎは２以上の整数）の光増幅装置３０１〜３０Ｎおよび損失傾斜等化器１００を備えている。光増幅装置３０１〜３０Ｎそれぞれは、図７に示された構成から損失傾斜等化器１００を除いた構成のものである。この光通信システム１における損失傾斜等化器１００は、上述した本実施形態に係るものである。この光通信システム１では、信号光は、光増幅装置３０１〜３０Ｎそれぞれにより光増幅された後に、損失傾斜等化器１００により波長に応じた損失が与えられる。
【００３４】
この光通信システム１の全体の利得スペクトルは、Ｎ段の光増幅装置３０１〜３０Ｎそれぞれの利得スペクトルと損失傾斜等化器１００の損失スペクトルとを総合したものとなる。或る条件下で、Ｎ段の光増幅装置３０１〜３０Ｎそれぞれの利得スペクトルは所定波長帯域において平坦とされている。
【００３５】
しかし、入力信号光強度が変動すると、Ｎ段の光増幅装置３０１〜３０Ｎそれぞれに含まれる利得等化器による利得等化の作用が不完全なものとなって、利得傾斜が生じる。このとき、損失傾斜等化器１００に含まれる可変フィルタ１１０の透過スペクトルを調整することで（具体的にはファイバグレーティング１１１，１１２の温度をペルチエ素子１３０により調整することで）、損失傾斜等化器１００の損失傾斜を調整して、これにより、光通信システム１の全体の利得スペクトルを所定波長帯域において平坦とすることができる。
【００３６】
本発明は、上記実施形態に限定されるものではなく、種々の変形が可能である。例えば、損失傾斜等化器１００，１００Ａに含まれる可変フィルタ１１０と固定フィルタ１２０との接続の順序は任意である。可変フィルタ１１０の透過スペクトルを調整する手段は、ペルチエ素子に替えてヒータが用いられてもよく、上述したファイバグレーティング１１１，１１２の温度を調整する手段だけでなく、ファイバグレーティング１１１，１１２の張力を調整する手段であってもよい。光通信システムは、１または複数の光増幅装置１０（図７）を含み、この光増幅装置により信号光を光増幅して伝送するのも好適である。
【００３７】
また、上記実施形態では、温度３０℃を中心温度とし、この中心温度において損失傾斜等化器１００の透過スペクトルを平坦なものとして、ペルチエ素子１３０により可変フィルタ１１０の温度を上昇または低下させた。これに対して、例えば、温度５０℃を中心温度とし、この中心温度において損失傾斜等化器１００の透過スペクトルを平坦なものとして、ペルチエ素子１３０に替えて安価なヒータにより可変フィルタ１１０の温度を上昇させて、温度３０℃〜７０℃の範囲で調整するのも好適である。
【００３８】
【発明の効果】
以上、詳細に説明したとおり、本発明によれば、損失傾斜等化器の全体の損失スペクトルは、可変フィルタおよび固定フィルタそれぞれの損失スペクトルを総合したものであり、可変フィルタの透過スペクトルが可変範囲内の何れかの状態にあるときに、所定波長帯域において略平坦なものとなっている。そして、可変フィルタに含まれるファイバグレーティングの透過スペクトルが例えば温度や張力により調整されることにより、損失傾斜等化器の全体の損失スペクトルは、波長に対して損失が略線型である状態を維持したまま、その損失傾斜が変化する。したがって、この損失傾斜等化器は、波長に対して損失が略線型であって当該損失傾斜が可変である利得等化器として好適に用いられ得る。
【図面の簡単な説明】
【図１】本実施形態に係る損失傾斜等化器１００の構成図である。
【図２】他の実施形態に係る損失傾斜等化器１００Ａの構成図である。
【図３】本実施形態に係る損失傾斜等化器１００に含まれる可変フィルタ１１０の構成を詳細に示す図である。
【図４】可変フィルタ１１０に含まれる２つのファイバグレーティング１１１，１１２それぞれの透過スペクトルを示す図である。
【図５】可変フィルタ１１０および固定フィルタ１２０それぞれの透過スペクトルを示す図である。
【図６】本実施形態に係る損失傾斜等化器１００の透過スペクトルを示す図である。
【図７】本実施形態に係る光増幅装置１０の構成図である。
【図８】本実施形態に係る光通信システム１の構成図である。
【符号の説明】
１…光通信システム、１０…光増幅装置、２１…光カプラ、２２…ＥＤＦ、２３…利得等化器、２４…励起光源、３０…光増幅装置、１００，１００Ａ…損失傾斜等化器、１０１…入力端、１０２…出力端、１１０…可変フィルタ、１１１，１１２…ファイバグレーティング、１２０…固定フィルタ、１３０…ペルチエ素子、１４０…光カプラ、１５０…モニタ部、１６０…制御部。
【図１】
2004145127.tif 000003
【図２】
2004145127.tif 000004
【図３】
2004145127.tif 000005
【図４】
2004145127.tif 000006
【図５】
2004145127.tif 000007
【図６】
2004145127.tif 000008
【図７】
2004145127.tif 000009
【図８】
2004145127.tif 000010